(57)【特許請求の範囲】
【請求項１】
低圧タービンが設置される台座部と前記台座部を支持する脚部とを備える架台の下部に前記低圧タービンと接続される復水器を据え付ける復水器据え付け方法であって、
前記台座部の一部が取り外されて、前記低圧タービンの軸方向に対して平行な面である側面に前記復水器が前記架台外部から内部へ通過可能な形状を有する入口部を備える架台を製作するステップと、
前記架台の外部で前記復水器を組み立てるステップと、
前記入口部を通過させて前記復水器を前記架台の前記側面を介して前記架台内部へ移動させるステップと、
前記架台の下部に前記復水器を据え付けるステップと、
を備える復水器据え付け方法。
【請求項２】
前記低圧タービンが設置される支持部材を前記台座部が取り外された部分の台座入口部に設置するステップと、
前記台座部と前記支持部材に前記低圧タービンを設置するステップと、
を更に備える請求項１に記載の復水器据え付け方法。
【請求項３】
前記支持部材は、前記低圧タービンの荷重を支持することが可能な構造体である請求項２に記載の復水器据え付け方法。
【請求項４】
前記支持部材は、板部材、梁状部材又は壁状部材である請求項２に記載の復水器据え付け方法。
【発明の詳細な説明】
【技術分野】
【０００１】
本発明は、タービン等が設置される架台の下部に復水器を据え付ける復水器据え付け方法に関するものである。
【背景技術】
【０００２】
蒸気タービン発電システムでは、高中圧タービン、低圧タービン及び発電機などが架台に据え付けられ固定される。架台は、例えば鉄筋コンクリート構造又は鋼板製の外殻内部にコンクリートを充填した鋼板コンクリート構造などである。架台上部には各装置の下半部が収容される開口部が設けられる。
【０００３】
架台に据え付けられた低圧タービンの下部には、復水器が接続される。復水器は、容量が大きいことから、復水器の部品や部品を組み合わせたブロックを架台内部に搬入し、各ブロックを溶接などによって組み立て作業することが一般的である。
【０００４】
特許文献１には、単胴型復水器の据付方法に関する発明であって、安全、迅速かつ確実に復水器を据え付けるため、復水器の吊り下ろし作業を行う技術が開示されている。
【先行技術文献】
【特許文献】
【０００５】
【特許文献１】特開平１０−１０３８７９号公報
【発明の概要】
【発明が解決しようとする課題】
【０００６】
復水器を据え付ける際、架台内部で組み立て作業する従来の方法では、架台の製作が完了するまで、復水器の組み立て作業を開始することができなかった。そのため、蒸気タービン発電システムの工期が長期化していた。また、復水器の組み立て作業は、架台の内部かつ下部での作業となるため、作業空間が制限され、組み立て作業の効率が悪化していた。
【０００７】
更に、特許文献１の技術のように、組み立てられた復水器の吊り下げ作業を行う場合、重量のある復水器を吊り上げることになるため、大型の重機が必要になる。特許文献１では、復水器の吊り上げに天井クレーンを用いることが記載されている。しかし、この場合、復水器の重量に耐えられる天井クレーンを選定するだけでなく、天井クレーンが設置されるタービン建屋も復水器の重量に耐えられるようにしたり、吊り上げ作業を行うことが可能な建屋面積や天井高さを確保したりする必要がある。
【０００８】
本発明は、このような事情に鑑みてなされたものであって、工期の短縮化を図ることができ、安全かつ効率的に据え付け作業を行うことが可能な復水器据え付け方法を提供することを目的とする。
【課題を解決するための手段】
【０００９】
上記課題を解決するために、本発明の復水器据え付け方法は以下の手段を採用する。
すなわち、本発明に係る復水器据え付け方法は、低圧タービンが設置される台座部と台座部を支持する脚部とを備える架台の下部に低圧タービンと接続される復水器を据え付ける復水器据え付け方法であって、台座部の一部が取り外されて、低圧タービンの軸方向に対して平行な面である側面に復水器が架台外部から内部へ通過可能な形状を有する入口部を備える架台を製作するステップと、架台の外部で復水器を組み立てるステップと、入口部を通過させて復水器を架台の側面を介して架台内部へ移動させるステップと、架台の下部に復水器を据え付けるステップとを備える。
【００１０】
この発明によれば、製作される架台は台座部と脚部を備え、台座部は一部が切断されて取り外された形状を有する。そして、架台の側面には入口部が設けられ、入口部は復水器が架台外部から内部へ通過可能な形状を有することから、組み立てられた復水器を架台の側面の入口部から内部へ横移動で搬入することが可能になる。したがって、復水器を架台の下部で組み立てる必要がなく、広い場所で復水器を組み立てられるため、作業の効率性を高められる。また、架台の製作が完了する前、例えば架台の構築と同時進行で、復水器の組み立て作業を行うことができることから、全工程に掛かる工期を短縮化できる。さらに、大容量の復水器を吊り上げるための大掛かりな手段が不要であるため、安全性が確保されやすくなる。
【００１１】
上記発明において、低圧タービンが設置される支持部材を台座部が取り外された部分の台座入口部に設置するステップと、台座部と支持部材に低圧タービンを設置するステップとを更に備えてもよい。
【００１２】
この発明によれば、台座部に形成された台座入口部に支持部材が設置され、台座部と支持部材に低圧タービンが設置される。台座部には台座部が取り外された台座入口部が設けられているため、低圧タービンの設置が不安定になる可能性があるが、台座入口部に設置された支持部材に低圧タービンが設置されることによって、低圧タービンを架台上に安定して設置できる。
【００１３】
上記発明において、支持部材は、低圧タービンの荷重を支持することが可能な構造体でもよい。
【００１４】
この発明によれば、支持部材が低圧タービンの荷重を支持できることから、支持部材が荷重を支持できず台座部のみによって低圧タービンの荷重を支持する場合に比べて、台座部が支持しなければならない荷重を低減でき、台座部の構造を簡素化できる。
上記発明において、支持部材は、板状部材、梁状部材又は壁状部材でもよい。
【発明の効果】
【００１５】
本発明によれば、工期の短縮化を図ることができ、安全かつ効率的に据え付け作業を行うことができる。
【図面の簡単な説明】
【００１６】
【図１】本発明の一実施形態に係る復水器据え付け方法を示すフローチャートである。
【図２】同実施形態に係る蒸気タービン発電システムの架台を示す斜視図である。
【図３】同実施形態に係る蒸気タービン発電システムの架台及び復水器を示す斜視図である。
【図４】同実施形態に係る蒸気タービン発電システムの架台、支持部材及び復水器を示す斜視図である。
【図５】同実施形態に係る蒸気タービン発電システムの架台及び復水器を示す縦断面図であり、図４のＡ−Ａ線で切断した縦断面図である。
【図６】同実施形態に係る蒸気タービン発電システムの架台及び復水器を示す縦断面図であり、図４のＢ−Ｂ線で切断した縦断面図である。
【図７】同実施形態に係る蒸気タービン発電システムの架台、支持部材の変形例及び復水器を示す斜視図である。
【図８】同実施形態に係る蒸気タービン発電システムの架台、支持部材の変形例及び復水器を示す斜視図である。
【図９】従来の蒸気タービン発電システムの架台を示す斜視図である。
【発明を実施するための形態】
【００１７】
以下に、本発明に係る実施形態について、図面を参照して説明する。
まず、図４〜図６を参照して、本発明の一実施形態に係る復水器１０の据え付け方法に用いる架台１について説明する。
【００１８】
蒸気タービン発電システムでは、高中圧タービン（図示せず。）、低圧タービン１２及び発電機（図示せず。）などが架台１に据え付けられ固定される。また、架台１の内部かつ下部には、低圧タービン１２と接続される復水器１０が据え付けられる。
【００１９】
架台１は、低圧タービン等が設置される台座部３と、台座部３を支持する脚部２とを備える。架台１は、例えば鉄筋コンクリート構造又は鋼板製の外殻内部にコンクリートを充填した鋼板コンクリート構造などである。
【００２０】
脚部２は、例えば図５及び図６に示すような設置床１５から上方に複数立設されている。
【００２１】
台座部３は、複数の脚部２の上部に水平に設けられる。台座部３には、図４に示すように、複数の装置を設置するための複数の開口部、例えば高中圧タービン用開口部４、低圧タービン用開口部５及び発電機用開口部６が形成される。
【００２２】
高中圧タービン用開口部４は、架台１の一端側に形成され、高中圧タービンの下半部が収容される。低圧タービン用開口部５は、架台１の中間部分に形成され、低圧タービン１２の下半部が収容される。発電機用開口部６は、架台１の他端側に形成され、発電機の下半部が収容される。
【００２３】
低圧タービン１２の下部には、図４及び図５に示すように、低圧タービン１２と接続される復水器１０が復水器用基礎１１上に据え付けられる。復水器用基礎１１は、設置床１５上に設けられる。なお、図４及び図５では、設置床１５が架台１の一端部から他端部にわたって同一高さである場合について示したが、本発明はこの例に限定されない。例えば、復水器１０が設置される領域については、他の領域よりも掘り下げてピットが形成されてもよく、ピット内に復水器用基礎１１が設けられて、復水器１０が据え付けられてもよい。
【００２４】
台座部３には図２〜図４に示すように、低圧タービン用開口部５に対応する部分に台座入口部７が形成される。台座入口部７は、低圧タービン１２のタービン軸方向に対して平行な面である架台１の台座部３の側面が切断された形状を有する。台座入口部７によって規定される空間は、低圧タービン用開口部５と連続しており、図２などで示すように架台１の上部から見ると、低圧タービン用開口部５と台座入口部７によって規定される空間の内壁面は、コの字形状になる。
【００２５】
また、台座入口部７と、台座入口部７の近傍かつ台座入口部７の両側の二つの脚部２によって、入口部９が形成される。架台１の側面から見たときの入口部９の形状は、復水器１０が架台１の外部から内部へ通過可能な形状である。これにより、復水器１０を架台１の側面から低圧タービン用開口部５へ移動させることができる。入口部９において、台座入口部７の幅は、復水器上部１０Ａよりも広く、入口部９両側の脚部２間の幅は、復水器１０の底面部１０Ｂの幅よりも広い。
【００２６】
図４及び図６に示す支持部材８は、一方向に長い板部材であり、台座入口部７の上部に架設される。支持部材８は、例えば鋼製である。支持部材８の長さ方向は、低圧タービン１２の軸方向に対して平行である。支持部材８は、構造体でもよく、例えばトラス構造を有する梁状部材、鉄筋コンクリート製などの梁状部材又は壁状部材である。図７には、支持部材８が梁状部材である場合の一例を示し、図８には支持部材８が壁状部材であって復水器１０を覆うように配置される場合の一例を示す。支持部材８は、図７及び図８に示すように、図４及び図６に示す板部材の支持部材８と異なり、台座入口部７の上部に架設されるのではなく、台座入口部７の間にはまるようにしてもよい。なお、支持部材８は、架台１に架設される板部材や構造体に限定されず、架台１から独立して設置床１５上に自立した組み立て足場などの構造体でもよい。
【００２７】
支持部材８を台座入口部７上に架設することで、低圧タービン１２を支持部材８上に設置することができる。そのため、低圧タービン１２は、架台１上に安定して設置することが可能となる。
【００２８】
支持部材８は、低圧タービン１２の荷重を支持することが可能な構造体でもよい。この場合、支持部材８が荷重を支持できず台座部３のみによって低圧タービン１２の荷重を支持する場合に比べて、台座部３が支持しなければならない荷重を低減でき、台座部３の構造を簡素化できる。
【００２９】
次に、図１〜図４を参照して、本実施形態に係る復水器１０の据え付け方法について説明する。
【００３０】
まず、図２に示すように、側面に復水器１０の搬入用開口として入口部９が形成された架台１を製作する（ステップＳ１）。入口部９が形成されることによって、台座部３の側面は、一部が切り欠かれた形状を有する。また、架台１の下部であって、復水器１０が設置される場所には、復水器用基礎１１（図３参照）が設置される。
【００３１】
一方、架台１の製作が完了する前、例えば架台１の製作工程と同時進行で、復水器１０を組み立てる（ステップＳ２）。復水器１０の組み立ては、架台１の外部で行われる。したがって、復水器１０を架台１の内部かつ下部で組み立てる必要がなく、広い場所で復水器１０を組み立てられるため、組み立て作業の効率性を高められる。また、架台１の製作が完了する前に、復水器１０の組み立て作業を開始することができることから、蒸気タービン発電システムの全工程に掛かる工期を短縮化できる。
【００３２】
復水器１０の組み立てが完了した後、一体に組み立てられた復水器１０を架台１の側面を介して内部に引き込み、架台１の内部かつ下部に復水器１０を据え付ける（ステップＳ３）。図３は、復水器１０の据え付けが完了した状態を示す。復水器１０を架台１の内部に引き込む際、復水器１０は、架台１の側面に形成された入口部９を通過する。復水器１０の架台１の外部から内部への移動は、設置床１０等の床面上をスライドさせて行う。例えば、床面に敷設されたレールやころ上に組み立てられた復水器１０を載置して、架台１の内部へ搬入する。なお、復水器１０を復水器用基礎１１に据え付ける際、ジャッキなどを使用してレールやころから復水器１０を昇降させる場合もある。このときの復水器１０の昇降距離は、架台１の高さに比べて短い。
【００３３】
復水器１０の据え付けが完了した後、図４に示すように、台座入口部７に支持部材８を設置する（ステップＳ４）。支持部材８は、架台１に溶接等により固定される。その後、図５及び図６に示すように、低圧タービン用開口部５内に低圧タービン１２の下半部を挿入し、低圧タービン１２を架台１上に設置する（ステップＳ５）。また、低圧タービン１２以外の高中圧タービンや発電機も架台１上に設置されたり、復水器１０等に配管が接続されたりして、蒸気タービン発電システムが組み立てられていく。
【００３４】
以上、本実施形態によれば、架台１の台座部３の一部に低圧タービン用開口部５に連続した台座入口部７が形成され、架台１の側面に入口部９が設けられる。その結果、架台１の側面を介して復水器１０を架台１の内部へ横移動で引き込むことが可能になる。すなわち、図５に示すように、復水器上部１０Ａの高さ位置が台座部３の高さ位置に重なる場合でも、復水器上部１０Ａが台座部３に掛かることなく、架台１の側面から復水器１０内部へ組み立てられた復水器１０を挿入できる。
【００３５】
また、図５に示すように、復水器１０の容量が大きく、低圧タービン用開口部５の開口面積より復水器１０の底面部１０Ｂが広い場合であっても、架台１の側面から復水器１０内部へ組み立てられた復水器１０を挿入できる。
【００３６】
一般に復水器１０の容量は大きいため、図９に示すような従来の架台２０では、架台１の低圧タービン開口部５や架台１の側面から、組み立てられた復水器１０を架台１の内部へ引き込むことができなかった。そのため、架台１の製作が完了した後、復水器１０を架台１の内部で組み立てていた。一方、本実施形態によれば、組み立てられた復水器１０を架台１の側面から内部へ挿入できるため、狭い空間で組み立て作業を行う必要がない。その結果、架台１の外部など広い空間で組み立て作業を行うことができ、組み立て作業の効率性を向上させることができる。
【００３７】
また、本実施形態では、上記特許文献１の技術と異なり、復水器１０を吊り上げて、架台１の上方から据え付ける必要はない。したがって、工場で組み立てた場合の架台１手前までの搬入時を除き大型の重機が不要であり、復水器１０の昇降に伴う危険性を低減できる。また、本実施形態では、復水器１０の昇降に必要な能力の天井クレーンが不要である。その結果、本実施形態では、天井クレーンが設置される建屋を復水器１０の重量の昇降に耐えられるようにしたり、吊り上げ作業を行うことが可能な建屋面積や天井高さを確保したりする必要がなく、吊り上げ作業によるコストの上昇を防止できる。
【符号の説明】
【００３８】
１，２０  架台
２  脚部
３  台座部
４  高中圧タービン用開口部
５  低圧タービン用開口部
６  発電機用開口部
７  台座入口部
８  支持部材
９  入口部
１０  復水器
１０Ａ  復水器上部
１１  復水器用基礎
１２  低圧タービン
１５  設置床
【図１】
0005943622.tif 000002
【図２】
0005943622.tif 000003
【図３】
0005943622.tif 000004
【図４】
0005943622.tif 000005
【図５】
0005943622.tif 000006
【図６】
0005943622.tif 000007
【図７】
0005943622.tif 000008
【図８】
0005943622.tif 000009
【図９】
0005943622.tif 000010